(57)【特許請求の範囲】
【請求項１】
紙葉類を搬送する搬送路と、
前記搬送路上を搬送される紙葉類の位置を検出する位置検出部と、
前記搬送路上を搬送される紙葉類の表面であって、搬送方向に異なる所定地点を照射する一つの発光部と、
前記異なる所定地点における、前記発光部による照射に基づく紙葉類の表面からの反射光を集光する集光部と、
前記集光部により集光された、前記異なる所定地点の反射光を加算して読み取る一つの受光部と、
前記位置検出部により検出した紙葉類の位置情報と前記受光部により読み取られた受光データとの対応関係を表す受光情報と、
前記受光情報の基準となる受光情報基準データと、を記憶する記憶部と、
前記記憶部に記憶された受光情報と前記受光情報基準データを比較する演算部と、
前記各部を制御する制御部と、を備えたことを特徴とする紙葉類識別装置。
【請求項２】
請求項１の紙葉類識別装置であって、
前記発光部、前記集光部、及び前記受光部は、前記搬送路の搬送方向に対してそれぞれ１地点に配置することを特徴とする紙葉類識別装置。
【請求項３】
請求項１又は２に記載の紙葉類識別装置であって、
前記発光部は、少なくとも第一の発光素子と第二の発光素子とを備え、
前記異なる所定地点は、少なくとも第一の地点と第二の地点とを含み、
前記第一の発光素子は、前記第一の地点を含み、かつ、前記第二の地点を含まない範囲を照射し、
前記第二の発光素子は、前記第一の地点を含まず、かつ、前記第二の地点を含む範囲を照射することを特徴とする紙葉類識別装置。
【請求項４】
請求項１又は２に記載の紙葉類識別装置であって、
前記受光部は少なくとも２つの独立した受光面を有し、
前記集光部及び前記受光部は、前記受光部の受光面が、前記異なる地点のうち少なくとも第一の地点からの反射光と第二の地点からの反射光とを異なる受光面で受光するように配設したことを特徴とする紙葉類識別装置。
【発明の詳細な説明】
【技術分野】
【０００１】
本発明は、紙葉類識別装置に関し、特に反射光を受光する角度、或いは照射光を照射する角度によって色相、模様が変化する表面を有する紙葉類の真偽を判別するものである。
【背景技術】
【０００２】
従来の紙葉類識別装置として、小売店の店頭にて簡易的に紙幣の真贋を識別するための持ち運び可能な紙葉類識別装置や、金融機関のATM（Automated Tellers Machines）などに組み入れられた紙葉類識別装置が知られている。
これらの紙葉類識別装置では、反射光を受光する角度によって色相、模様が変化するホログラムやカラーシフトインクを有する紙葉類の真偽を判別するために、２個の受光素子を異なる位置に備え付ける構造とし、同一の対象点の反射光を異なる位置において、当該２個の受光素子で同時に受光する構造が採用されている。
また、照射光を照射する角度によって色相、模様が変化するホログラムやカラーシフトインクを有する紙葉類の真偽を判別する装置として、２個の発光素子を異なる位置に備え付ける構造とし、当該２個の発光素子を切り替えて照射することにより、異なる位置からの照射光に対する同一の対象点の反射光を受光する構造が採用されている。
従来技術としては、例えば、特開２００６−１４６３２１（特許文献１）に示される紙葉類識別装置が知られている。
【０００３】
【特許文献１】特開２００６−１４６３２１
【発明の開示】
【発明が解決しようとする課題】
【０００４】
しかし、特許文献１に記載された紙葉類識別装置においては、複数の受光素子を異なる位置に配置する、あるいは複数の発光素子を異なる位置に配置すると、紙葉類識別装置の小型化という顧客の要望に応えることができない。
本発明の目的は、照射光を照射する角度もしくは反射光を受光する角度によって色相、模様が変化する表面を有する紙葉類の真偽判別を実施可能な小型化された紙葉類識別装置を提供することにある。
【課題を解決するための手段】
【０００５】
紙葉類を搬送する搬送路と、前記搬送路上を搬送される紙葉類の位置を検出する位置検出器と、搬送路上を搬送される紙葉類の表面を照射する発光部と、搬送路上の搬送路方向に異なる地点における、発光部による照射に基づく紙葉類の表面からの反射光を集光する集光部と集光部により集光された反射光を読み取る受光部と、位置情報と受光部により読み取られた反射光に基づく受光データとの対応関係を表す受光情報、及び受光情報の基準となる受光情報基準データを記憶する記憶部と、記憶部に記憶された受光情報と、受光情報基準データとを比較する演算部と、上記各部を制御する制御部を備えたことを特徴とする紙葉類識別装置。
【発明の効果】
【０００６】
本発明によれば、１箇所に備え付けた受光部と１箇所に備え付けた発光部にて、照射光を照射する角度もしくは反射光を受光する角度によって色相、模様が変化する表面を有する紙葉類を識別することが可能となる。
【発明を実施するための最良の形態】
【０００７】
以下の実施例１〜４では、照射光を照射する角度もしくは反射光を受光する角度によって色相、模様が変化する表面を有する紙葉類の一例として、カラーシフトインクを有する紙葉類を用いて説明する。
【実施例１】
【０００８】
図１は、１つの発光素子からなる発光部と、１つの受光素子からなる受光部により、照射光を照射する角度もしくは反射光を受光する角度によって色相、模様が変化するカラーシフトインクを有する紙葉類を判別する紙葉類識別装置の検出部の構成を示した図である。以下、図１〜図３に従い、この検出部を備える紙葉類識別装置について説明する。
【０００９】
図１に示す紙葉類識別装置の検出部は、紙葉類５を搬送する搬送路１と、搬送路１上を搬送される紙葉類５に照射光を照射する発光素子２と、照射光に対する紙葉類の反射光の経路を変更、調整し、集光する集光部である集光器４（例えば、プリズム、鏡など）と、集光器４により集光された経路の異なる反射光６、７を受光する受光素子３を備える。
【００１０】
発光素子２は、紙葉類の搬送方向に異なる２箇所の搬送路上の位置である対象点１ａ、１ｂの両方を含む範囲を同時に照射する。集光器４は、発光素子２により照射光を照射される対象点１ａ、１ｂからの反射光６、７を集光する。受光素子３は、集光器４により集光された２箇所の対象点１ａと対象点１ｂとの両方の位置からの反射光を加算した光を受光する。紙葉類５は、搬送路１上を対象点１ａから対象点１ｂの矢印１８の方向、もしくはその逆の対象点１ｂから対象点１ａの方向に移動する。以降の説明では、矢印１８の方向に移動するものとして説明する。
【００１１】
図２は、図１で示した検出部を備える紙葉類識別装置の回路ブロック図である。以下、各部について説明する。
【００１２】
位置検出器１０は、図４には示されていないセンサ等により、搬送路１上を搬送される紙葉類５の位置である位置情報を検出する。記憶部１１は、位置検出器１０により検出された紙葉類の位置情報と、受光素子３により受光された反射光の受光データ（光量）を記憶、保存する。記憶部１２は、事前に取得した真正な紙葉類の位置情報と受光データを、受光情報基準データとして、記憶、保存しておく。演算部８は、紙葉類が対象点１ａ、対象点１ｂを通過後、記憶部１１により記憶された受光データ、位置情報と、記憶部１２に記憶されている受光情報基準データとを比較演算処理する。制御部９は、紙葉類の真偽を識別するためにこれらの部位を制御する。
【００１３】
図３は、図２の記憶部１２に保存され、受光情報基準データとなる真正な紙葉類の位置情報、受光データを表す波形１３a〜１３cと、記憶部１１に記憶され、真偽識別の対象となる紙葉類の位置情報、受光データを表す波形１４a〜１４cとを示す。なお、波形１４a〜１４cは、真偽識別の対象として、偽造された紙葉類を識別した場合の波形を示している。
【００１４】
最初に、記憶部１２に保存される真正な紙葉類の位置情報と受光データの関係を表す受光情報の一例である波形１３a〜１３ｃについて、図１〜図３を用いて説明する。
【００１５】
波形１３aは、紙葉類５が対象点１ａを通過する際に、位置検出器１０により検出された位置情報（横軸）に対する、受光素子３により受光された紙葉類５からの反射光６に基づく受光データ（縦軸）である。
【００１６】
波形１３bは、紙葉類が対象点１bを通過する際に、位置検出器１０により検出された位置情報（横軸）に対する、受光素子３により受光された紙葉類５の反射光７に基づく受光データ（縦軸）である。波形１３ｂは、対象点１ａと対象点１ｂの距離分だけ波形１３ａよりも遅れた波形となる。また、カラーシフトインクを有する紙葉類（真正な紙葉類）は、そのインクを有する部分（１３ｄと１３e）にて、波形１３ａと波形１３ｂとが異なる波形となる。
【００１７】
ただし、受光素子３は、対象点１ａ、１ｂからの反射光をそれぞれ個別の波形として波形１３ａ、波形１３ｂのように読み取ることはできない。すなわち、対象点１ａ、１ｂからの反射光は、集光器４により集光され、波形１３ｃのように、波形１３ａと波形１３ｂとが加算された波形として、受光素子３により受光される。
【００１８】
このようにして取得された真正な紙葉類の波形１３ｃ（位置情報と受光データ）は、受光情報基準データとして、事前に記憶部１２に保存される。
【００１９】
次に、真偽識別の対象となる紙葉類の位置情報と受光データの関係を表す受光情報である波形１４a〜１４ｃについて説明する。真偽識別の対象となる紙葉類の受光情報は、記憶部１１に記憶される。なお、本実施例の波形１４a〜１４ｃは、偽造された紙葉類の波形を表す。
【００２０】
波形１４aは、紙葉類が対象点１ａを通過する際に、位置検出器１０により検出された位置情報（横軸）に対する、受光素子３により受光された紙葉類からの反射光に基づく受光データ（縦軸）である。
【００２１】
波形１４bは、紙葉類が対象点１bを通過する際に、位置検出器１０により検出された位置情報（横軸）に対する、受光素子３により受光された紙葉類からの反射光に基づく受光データ（縦軸）である。
【００２２】
波形１４ａと波形１４ｂは、カラーシフトインクを有していない偽造された紙葉類の波形であり、真正な紙葉類の波形１３ａと波形１３ｂとは異なり、対象点１ａの反射光６に基づく受光データと、対象点１ｂの反射光７に基づく受光データとで、カラーシフトインクを有する部分（１４ｄと１４e）による差異は生じない。
【００２３】
ただし、上述したように、対象点１ａ、１ｂからの反射光は、集光器４により集光され、波形１４ｃのように、波形１４ａと波形１４ｂとが加算された波形として、受光素子３により受光される。
【００２４】
このようにして読み取られた偽造された紙葉類の波形１４ｃ（位置情報と受光データ）は、記憶部１１に保存される。
【００２５】
波形１５は、搬送路１上を搬送される紙葉類が対象点１ａ、対象点１ｂを通過後、演算部８により、記憶部１１に記憶された波形１４ｃと、記憶部１２に記憶されている受光情報基準データ（波形１３ｃ）との比較演算の結果を示す。本実施例では比較演算の方法として、波形１３ｃと波形１４ｃの差分をとる方法を用いている。
【００２６】
波形１５の場合、カラーシフトインクを有する部分に波形（ピーク）１５ａが生じている。このため、演算部８は、真偽識別の対象となった紙葉類がカラーシフトインクを有する部分にピークが生じない紙葉類、すなわち、カラーシフトインクを使用していない偽造された紙葉類であると判断する。
【００２７】
なお、演算部８は、カラーシフトインクを有する部分に波形（ピーク）が生じていない場合は、真正な紙葉類であると判断する。
【００２８】
本実施例では、１つの発光素子、１つの受光素子及び１つの集光器４により、照射光を照射する角度もしくは反射光を受光する角度によって色相、模様が変化するカラーシフトインクを有する紙葉類を判別する紙葉類識別装置を説明した。実施形態を利用することにより、低コストで小型化可能な紙葉類識別装置の提供が可能となる。
【実施例２】
【００２９】
図４は、複数（本実施例では２つ）の発光素子からなる発光部と１つの受光素子からなる受光部により、カラーシフトインクを有する紙葉類を判別する紙葉類識別装置の検出部の構成を示した図である。以下、図４〜図６に従い、この検出部を備える紙葉類識別装置について説明する。
なお、以下では実施例１と異なる動作をする部位を中心に説明する。
【００３０】
図４に示す紙葉類識別装置の検出部は、紙葉類５を搬送する搬送路１と、搬送路１上を搬送される紙葉類５に照射光を別々に照射する２つの発光素子２ａ、２ｂと、照射光に対する紙葉類の反射光６、７の経路を変更、調整し、集光する集光部である集光器４（例えば、プリズム、鏡など）と、集光器４により集光された経路の異なる反射光６、７を受光する受光素子３とを備える。
【００３１】
発光素子２ａは、対象点１ａを含むが対象点１ｂを含まない範囲を対象として照射し、発光素子２ｂは、対象点１ａは含まないが１ｂを含む範囲を対象として照射する。発光素子２ａは対象点１ａを、発光素子２ｂは対象点２ｂを、時分割で交互に照射する。集光器４は、発光素子２ａの照射光に基づく対象点１ａからの反射光６、および発光素子２ｂの照射光に基づく対象点１ｂからの反射光７を別々に集光する。受光素子３は、集光器４により集光された発光素子２ａの照射光に基づく反射光６と発光素子２ｂの照射光に基づく反射光７を別々に受光する。
【００３２】
すなわち、実施例１では、発光素子２から照射される照射光に対する対象点１ａ、１ｂからの反射光６、７は、加算された受光データとして受光素子３により受光されたが、本実施例では、発光素子２ａ、２ｂにより交互に照射光を照射された対象点１ａ、１ｂからの反射光６、７は、時分割で交互に集光、受光され、受光データとして、別々に分離されて記憶部１１ａ、１１ｂに記憶される。
【００３３】
図５は、図４で示した検出部を備える紙葉類識別装置の回路ブロック図である。以下、各部について説明する。
【００３４】
発光素子２ａは対象点１ａを、発光素子２ｂは対象点１ｂを、制御部９により制御されることにより、時分割で交互に照射する。受光素子３は、発光素子２ａの照射光に基づく対象点１ａの反射光６と、発光素子２ｂの照射光に基づく対象点１ｂの反射光７とを、別々に読み取るため、制御部９により制御され、発光素子２ａ、２ｂの照射周期にあわせて、反射光の読み取りを行う。受光素子３は、実施例１における反射光の読み取り周期の２分の１の読み取り周期で、反射光６、７を読み取る。受光素子３により読み取られた反射光の受光データは、位置検出器１０により検出された紙葉類の位置情報とともに、記憶部１１ａ、１１ｂに記憶される。具体的には、制御部９により、発光素子２ａに対象点１ａを照射させているときの受光データを、位置情報とともに記憶部１１ａに記憶させ、発光素子２ｂに対象点１ｂを照射させているときの受光データを、位置情報とともに記憶部１１ｂに記憶させる。
【００３５】
搬送路１上を搬送される紙葉類が対象点１ａ、対象点１ｂを通過後、演算部８は、記憶部１１ａにより記憶された受光データおよび位置情報と、記憶部１１ｂに記憶された受光データおよび位置情報とを比較演算処理し、カラーシフトインクを有する部分を抽出する。
【００３６】
図６は、図４の記憶部１１ａ、１１ｂに記憶された真正な紙葉類の位置情報、受光データを表す波形１６a〜１６ｂ、その比較演算結果である波形１６cと、記憶部１１ａ、１１ｂに記憶され偽造された紙葉類の位置情報、受光データを表す波形１７a〜１７ｂ、その比較演算結果である波形１７cとを示す。
【００３７】
最初に、真正な紙葉類の位置情報と受光データの関係を表す受光情報の一例である波形１６a〜１６ｃについて説明する。
【００３８】
波形１６aは、真正な紙葉類が対象点１ａを通過する際に、位置検出器１０により検出された位置情報（横軸）に対する、受光素子３により受光された紙葉類からの反射光に基づく受光データ（縦軸）である。
【００３９】
波形１６bは、紙葉類が対象点１bを通過する際に、位置検出器１０により検出された位置情報（横軸）に対する、受光素子３により受光された紙葉類からの反射光に基づく受光データ（縦軸）である。波形１６ｂは、対象点１ａと対象点１ｂの距離分だけ波形１６ａよりも遅れた波形となる。また、カラーシフトインクを有する紙葉類（真正な紙葉類）は、そのインクを有する部分（１６ｄ）にて、波形１６ａと波形１６ｂとが異なる波形となる。
【００４０】
ここで、上述したように、発光素子２ａは対象点１ａを、発光素子２ｂは対象点１ｂを、時分割で交互に照射する。波形１６ａと波形１６ｂは、発光素子２ａに照射された照射光に対する対象点１ａからの反射光６と、発光素子２ｂにより照射された照射光に対する対象点１ｂからの反射光７とを、発光素子２ａ、２ｂの発光周期にあわせて、受光素子３が時分割で交互に読み取った波形である。
【００４１】
波形１６ａは、記憶部１１ａに記憶され、波形１６ｂは記憶部１１ｂに記憶される。記憶部１１ｂに記憶された波形１６ｂは、対象点１ａと対象点１ｂの距離分だけ記憶部１１ａに記憶された波形１６ａよりも遅れた波形となる。
【００４２】
搬送路１上を搬送される紙葉類が対象点１ａ、対象点１ｂを通過後、演算部８は、波形１６ａと波形１６ｂとのいずれかを対象点１ａと対象点１ｂとの距離分だけ、波形１６ａと波形１６ｂとを一致させる方向にシフトさせ、２つの波形を比較演算し、カラーシフトインクを有する部分のピーク（１６ｅ）を抽出する。
【００４３】
演算部８は、このピーク１６ｅが一定の閾値を超えている場合に、カラーシフトインクを有する真正な紙葉類と判断する。
【００４４】
次に、偽造された紙葉類の位置情報と受光データに関する波形１７a〜１７ｃについて説明する。
【００４５】
波形１７aは、偽造された紙葉類が対象点１ａを通過する際に、位置検出器１０により検出された位置情報（横軸）に対する、受光素子３により受光された紙葉類からの反射光に基づく受光データ（縦軸）である。
【００４６】
波形１７bは、紙葉類が対象点１bを通過する際に、位置検出器１０により検出された位置情報（横軸）に対する、受光素子３により受光された紙葉類からの反射光に基づく受光データ（縦軸）である。波形１６ｂは、対象点１ａと対象点１ｂの距離分だけ波形１７ａよりも遅れた波形となる。
【００４７】
波形１７ａと波形１７ｂは、カラーシフトインクを有していない偽造された紙葉類の波形である。このため、波形１７ａと波形１７ｂにおいては、真正な紙葉類の波形１６ａと波形１６ｂとは異なり、カラーシフトインクを有する部分（１７ｄ）による差異は生じない。
【００４８】
ここで、上述したように、発光素子２ａは対象点１ａを、発光素子２ｂは対象点１ｂを、時分割で交互に照射する。波形１７ａと波形１７ｂは、発光素子２ａの照射光に基づく対象点１ａからの反射光６と、発光素子２ｂの照射光に基づく対象点１ｂからの反射光７とを、発光素子２ａ、２ｂの発光周期にあわせて、受光素子３が時分割で交互に読み取った波形である。波形１７ａは、記憶部１１ａに記憶され、波形１７ｂは記憶部１１ｂに記憶される。記憶部１１ｂに記憶された波形１７ｂは、対象点１ａと対象点１ｂの距離分だけ記憶部１１ａに記憶された波形１７ａよりも遅れた波形となる。
【００４９】
搬送路１上を搬送される紙葉類が対象点１ａ、対象点１ｂを通過後、演算部８は、波形１７ａと波形１７ｂとのいずれかを対象点１ａと対象点１ｂとの距離分だけ、波形１７ａと波形１７ｂとを一致させる方向にシフトさせ、２つの波形を比較演算する。ここで、波形１７ａと波形１７ｂは、偽造された紙葉類の波形であるため、カラーシフトインクを有する部分に波形（ピーク）１７ｅは抽出されない。
【００５０】
演算部８は、ピーク１７ｅが一定の閾値を超えていない場合に、カラーシフトインクを有しない偽造された紙葉類と判断する。
【００５１】
本実施例では、同じ位置に設置された複数の発光素子と１つの受光素子により、カラーシフトインクを有する紙葉類を判別する紙葉類識別装置を説明した。本実施形態を利用することにより、紙葉類の姿勢、態様に応じた多種多様な発光制御が可能となり、より多種類の紙葉類の判別することができる小型化可能な紙葉類識別装置を提供することができる。
【実施例３】
【００５２】
図７は、１つの発光素子からなる発光部と複数（本実施例では２つ）の受光面を有する受光素子からなる受光部により、カラーシフトインクを有する紙葉類を判別する紙葉類識別装置の検出部の構成を示した図である。以下、図７、図８に従い、この検出部を備える紙葉類識別装置について説明する。なお、以下では実施例１と異なる動作をする部位を中心に説明する。
【００５３】
図７に示す紙葉類識別装置の検出部は、紙葉類５を搬送する搬送路１と、搬送路１上を搬送される紙葉類５に照射光を照射する発光素子２と、照射光に対する紙葉類の反射光の経路を変更、調整し、集光する集光部である集光器４（例えば、プリズム、鏡など）と、集光器４により集光された経路の異なる反射光６、７を別々に受光する受光面３ａ、３ｂを有する受光素子３を備える。
【００５４】
発光素子２は、紙葉類の搬送方向に異なる２箇所の対象点１ａ、１ｂの両方を同時に照射する。集光器４は、発光素子２の照射光に基づく対象点１ａからの反射光６を受光面３ａに導き、対象点１ｂからの反射光７を受光面３ｂに導く。受光素子３の受光面３ａ、３ｂは、集光器４により集光された反射光６と反射光７を、それぞれを独立した受光データとして受光する。
【００５５】
すなわち、本実施例では、発光素子２による照射光を照射された対象点１ａ、１ｂからの反射光６、７は、集光器４によりそれぞれ集光された後、受光面３ａ、３ｂにより、時分割にて交互に受光され、受光データとして、別々に分離されて記憶部１１ａ、１１ｂに記憶される。
【００５６】
図８は、図７で示した検出部を備える紙葉類識別装置の回路ブロック図である。以下、各部について説明する。
【００５７】
受光素子３の２つの受光面３ａ、３ｂは、制御部９の制御により、発光素子２の照射光に基づく対象点１ａからの反射光６と、対象点１ｂからの反射光７とを、実施例１における反射光の読み取り周期の２分の１の周期で、時分割による方法で交互に受光する。それぞれの受光面で受光した反射光６、７を受光素子３は交互に読み取る。
【００５８】
受光素子３の受光面３ａにより受光された反射光６の受光データと、位置検出器１０により検出された位置情報は、記憶部１１ａに記憶され、受光面３ｂにより受光された反射光７の受光データと、位置検出器１０により検出された位置情報は、記憶部１１ｂに記憶される。
【００５９】
受光データ、位置情報が、記憶部１１ａ、１１ｂに記憶された後の、紙葉類の真偽識別方法は、実施例２と同様であるので、以下簡単に述べる。
【００６０】
搬送路１上を搬送される紙葉類が対象点１ａ、対象点１ｂを通過後、演算部８は、記憶部１１ａに記憶された波形と、記憶部１１ｂに記憶された波形とを一致するようにシフトさせ、２つの波形を比較演算する。偽造された紙葉類の場合は、カラーシフトインクを有する部分に波形（ピーク）は抽出されないが、真正な紙葉類の場合は、カラーシフトインクを有する部分に波形（ピーク）が抽出される。
【００６１】
演算部８は、ピーク１７ｅが一定の閾値を超えているか否かにより、真正な紙葉類と偽造された紙葉類を判別する。
【００６２】
本実施例では、１つの発光素子と複数の受光面を有する受光素子により、カラーシフトインクを有する紙葉類を判別する紙葉類識別装置を説明した。本実施形態を利用することにより、受光素子を増やすことなく、より多種類の紙葉類の判別することができる小型化が可能な紙葉類識別装置を提供することができる。
【実施例４】
【００６３】
図９は、実施例１の発光素子２、受光素子３及び集光器４を、それぞれ搬送路１上の紙葉類の搬送方向に対して垂直方向に水平に複数備えた発光部１９、受光部２０及び集光部２１からなる実施形態を示す斜視図である。発光部１９、受光部２０及び集光部２１の長さは、搬送路１上を搬送される紙葉類の搬送方向に対する垂直方向の幅と略同一である。
【００６４】
発光部１９は、紙葉類の搬送方向に異なる２箇所の対象ライン１ａ、１ｂの両方を同時に照射し、集光部２１は、発光部１９により照射光を照射される対象ライン１ａ、１ｂからの反射光を集光し、受光部２０は、集光部２１により集光された２箇所の対象ライン１ａと対象ライン１ｂとの両方の位置からの反射光を加算した光を受光する。なお、その他の構成、紙葉類の真偽判別方法は実施例１と同様である。
【００６５】
本実施例では実施例１に基づき説明をしたが、実施例２、３についても、同様の形態による実施が可能である。
【００６６】
本実施形態を利用することにより、カラーシフトインクが紙葉類の搬送方向に対して垂直方向に広く利用されている場合や、紙葉類の全面に利用されている場合などにも利用できる紙葉類識別装置を提供することが可能となる。
【００６７】
上記実施例１〜４では、照射光を照射する角度もしくは反射光を受光する角度によって色相、模様が変化する表面の一例として紙葉類に利用されるカラーシフトインクを具体例として挙げて説明したが、本発明はこれに限るものではない。
【００６８】
また、記憶部１１、１２、１１ａ、１１ｂを異なる記憶装置として説明したが、１つの記憶装置に複数の記憶エリアを有する構成でも良い。
【００６９】
また、搬送路１上を紙葉類が搬送されるとしたが、この場合の搬送は、自動的に紙葉類を搬送する場合のみならず、手動で紙葉類をスライドし、検知部を通過するような形態も含む。
【００７０】
以上のように、本発明は、搬送方向に対して１つの位置に配置された発光素子、搬送方向に対して１つの位置に配置された受光素子により、照射光を照射する角度もしくは反射光を受光する角度によって色相、模様が変化する表面を有する紙葉類を識別することが可能であれば、実施例１〜４に限るものではない。
【図面の簡単な説明】
【００７１】
【図１】紙葉類識別装置の検出部の構成図（実施例１）
【図２】実施例１の回路ブロック図
【図３】実施例１の受光データと比較演算処理。
【図４】紙葉類識別装置の検出部の構成図（実施例２）
【図５】実施例２の回路ブロック図
【図６】実施例２の受光データと比較演算処理。
【図７】紙葉類識別装置の検出部の構成図（実施例３）
【図８】実施例３の回路ブロック図
【図９】紙葉類識別装置の検出部の構成図（実施例４）
【符号の説明】
【００７２】
１…搬送路、１ａ、１ｂ…対象点、２、２ａ、２ｂ…発光素子、３…受光素子、３ａ、３ｂ…受光素子内の受光面、４…集光器、５…紙葉類、６…１ａからの反射光、７…１ｂからの反射光、８…演算部９…制御部１０…位置検出器、１１、１１ａ、１１ｂ、１２…記憶部、１３ａ、１３ｂ…受光データの説明用波形、１３ｃ…受光データの波形、１４ａ、１４ｂ…受光データの説明用波形、１４ｃ…受光データの波形、１５…比較演算処理の結果、１６ａ、１６ｂ…受光データ（真正な紙葉類）、１６ｃ…比較演算処理の結果（真正な紙葉類）、１７ａ、１７ｂ…受光データ（偽造された紙葉類）、１７ｃ…比較演算処理の結果（偽造された紙葉類）、１８…紙葉類の搬送方向、１９…紙葉類の幅長さに略同一である発光部、２０…紙葉類の幅長さに略同一である受光部、２１…紙葉類の幅長さに略同一である集光部
【図１】
0005156447.tif 000002
【図２】
0005156447.tif 000003
【図３】
0005156447.tif 000004
【図４】
0005156447.tif 000005
【図５】
0005156447.tif 000006
【図６】
0005156447.tif 000007
【図７】
0005156447.tif 000008
【図８】
0005156447.tif 000009
【図９】
0005156447.tif 000010